(57)【要約】【課題】コネクタに対して回路基板のような固定対象物から離れる方向へ向かう力が加えられた場合であってもシェルの変形を抑えることのできるコネクタを提供すること。【解決手段】固定対象物（回路基板：図示せず）に対してフランジ（被押付部）８４をネジ止めして押し付けると、固定部８０の対向部８２が固定対象物側に変位する。これにより、対向部８２の開口部（第２係合部）９２を側壁５２の係合片（第１係合部）６４に係合させ、係合片６４を固定対象物側に向けて押圧する。このようにして、シェル４０に対して固定対象物側に近づける方向に力を加えた状態で維持することにより、コネクタ１０に対して固定対象物から離れる方向へ向かう力が加えられた場合であってもシェル４０の変形を抑えることができる。【選択図】図５
2014002979.tif 000002
【特許請求の範囲】
【請求項１】
前後方向において前端側から相手側コネクタを部分的に受容するコネクタであって、
前記コネクタは、コンタクトと、前記コンタクトを保持する保持部材と、前記保持部材に取り付けられたシェルとを備えており、
前記シェルは、前記保持部材を少なくとも部分的に覆うシェル本体部と、前記シェル本体部を固定対象物に固定するための固定部とを有しており、
前記シェル本体部には、第１係合部が設けられており、
前記固定部は、前記固定対象物にネジ止めされ押し付けられる被押付部と、前記被押付部が前記固定対象物に押し付けられた際に前記第１係合部と係合して前記第１係合部を前記固定対象物側に押圧する第２係合部とを有している
コネクタ。
【請求項２】
請求項１記載のコネクタであって、
前記第１係合部は、前記前後方向と直交するピッチ方向の外側に張り出すと共に斜め後方に延びている係合片であり、
前記第２係合部は、開口部である
コネクタ。
【請求項３】
請求項１又は請求項２記載のコネクタであって、
前記シェル本体部は、前記前後方向と直交するピッチ方向の両端に側壁を有しており、
前記第１係合部は、前記側壁に形成されており、
前記固定部は、前記側壁と対向する対向部を有しており、
前記第２係合部は、前記対向部に形成されており、
前記被押付部は、前記前後方向及び前記ピッチ方向の双方と直交する垂直方向において前記対向部の下端から前記ピッチ方向の外側に向かって延びている
コネクタ。
【請求項４】
請求項３記載のコネクタであって、
前記側壁と前記対向部とは後端側において連結されており、
前記対向部の前縁は、上方に向かうに連れて前方に張り出した形状を有しており、
前記側壁の前端には、前記対向部の前記前縁の前方において前記ピッチ方向の外側に向かって開き、前記相手側コネクタをガイドするガイドフレアが形成されており、
前記ガイドフレアは、前記垂直方向と斜交しており、前記ガイドフレアの上端は下端よりも前方に位置している
コネクタ。
【請求項５】
請求項３又は請求項４記載のコネクタであって、
前記シェル本体部の前記側壁には、前記ピッチ方向において前記側壁を貫通する孔部が形成されており、
前記孔部は、前記ピッチ方向において前記第２係合部と少なくとも部分的に連通しており、
前記第１係合部は、前記孔部の前端から前記第２係合部内に又は前記第２係合部を通って延びている
コネクタ。
【請求項６】
請求項３乃至請求項５のいずれかに記載のコネクタであって、
前記シェル本体部は、前記ピッチ方向において前記側壁を連結する天板部と、前記天板部から下方に延びる搭載ポストとを有しており、
前記搭載ポストは、前記コネクタを前記固定対象物に固定する際に、前記固定対象物に挿入固定される
コネクタ。
【発明の詳細な説明】
【技術分野】
【０００１】
本発明は、印刷回路基板やＦＰＣ（Flexible Printed Circuit）、ＦＦＣ（Flexible Flat Cable）のような固定対象物に固定されるコネクタに関する。
【背景技術】
【０００２】
回路基板に固定されるコネクタとしては、例えば、特許文献１に開示されたものがある。特許文献１のコネクタは、金属板を折り曲げ形成して得られるシェルを備えている。特許文献１のコネクタは、図７に示されるように、シェルの嵌合部分の両側壁から延びるペグと、側壁に添接させた添接壁から延びるペグとを備えており、回路基板へのコネクタの固定強度を増すことができるものである。特許文献１において、添接壁には開口窓が形成されており、側壁には係合片が設けられている。この係合片を開口窓に係合させて、添接壁が側壁に添接した状態がズレないようにしている。
【先行技術文献】
【特許文献】
【０００３】
【特許文献１】特開平１１−６７３６５号公報
【発明の概要】
【発明が解決しようとする課題】
【０００４】
係合片のサイズを開口窓のサイズと完全に同一に形成することはできないことから、実際に製造する際には係合片を開口窓よりも小さくせざるを得ない。ここで、特許文献１の００１７段落に記載されたシェルの形成方法から理解されるように、特許文献１のコネクタにおいては、係合片の前縁と開口窓の前端とが係合しているものの、垂直方向における係合片と開口窓の縁との間には隙間があるため、側壁と添接壁とは上下にズレやすくなっている。そのため、コネクタに対して回路基板のような固定対象物から離れる方向へ向かう力が加えられた場合にガタツキ、シェルが変形するおそれがあった。
【０００５】
そこで、本発明は、コネクタに対して回路基板のような固定対象物から離れる方向へ向かう力が加えられた場合であってもシェルの変形を抑えることのできるコネクタを提供することを目的とする。
【課題を解決するための手段】
【０００６】
本発明は、第１のコネクタとして、
前後方向において前端側から相手側コネクタを部分的に受容するコネクタであって、
前記コネクタは、コンタクトと、前記コンタクトを保持する保持部材と、前記保持部材に取り付けられたシェルとを備えており、
前記シェルは、前記保持部材を少なくとも部分的に覆うシェル本体部と、前記シェル本体部を固定対象物に固定するための固定部とを有しており、
前記シェル本体部には、第１係合部が設けられており、
前記固定部は、前記固定対象物にネジ止めされ押し付けられる被押付部と、前記被押付部が前記固定対象物に押し付けられた際に前記第１係合部と係合して前記第１係合部を前記固定対象物側に押圧する第２係合部とを有している
コネクタを提供する。
【０００７】
また、本発明は、第２のコネクタとして、第１のコネクタであって、
前記第１係合部は、前記前後方向と直交するピッチ方向の外側に張り出すと共に斜め後方に延びている係合片であり、
前記第２係合部は、開口部である
コネクタを提供する。
【０００８】
また、本発明は、第３のコネクタとして、第１又は第２のコネクタであって、
前記シェル本体部は、前記前後方向と直交するピッチ方向の両端に側壁を有しており、
前記第１係合部は、前記側壁に形成されており、
前記固定部は、前記側壁と対向する対向部を有しており、
前記第２係合部は、前記対向部に形成されており、
前記被押付部は、前記前後方向及び前記ピッチ方向の双方と直交する垂直方向において前記対向部の下端から前記ピッチ方向の外側に向かって延びている
コネクタを提供する。
【０００９】
また、本発明は、第４のコネクタとして、第３のコネクタであって、
前記側壁と前記対向部とは後端側において連結されており、
前記対向部の前縁は、上方に向かうに連れて前方に張り出した形状を有しており、
前記側壁の前端には、前記対向部の前記前縁の前方において前記ピッチ方向の外側に向かって開き、前記相手側コネクタをガイドするガイドフレアが形成されており、
前記ガイドフレアは、前記垂直方向と斜交しており、前記ガイドフレアの上端は下端よりも前方に位置している
コネクタを提供する。
【００１０】
また、本発明は、第５のコネクタとして、第３又は第４のコネクタであって、
前記シェル本体部の前記側壁には、前記ピッチ方向において前記側壁を貫通する孔部が形成されており、
前記孔部は、前記ピッチ方向において前記第２係合部と少なくとも部分的に連通しており、
前記第１係合部は、前記孔部の前端から前記第２係合部内に又は前記第２係合部を通って延びている
コネクタを提供する。
【００１１】
また、本発明は、第６のコネクタとして、第３乃至第５のいずれかのコネクタであって、
前記シェル本体部は、前記ピッチ方向において前記側壁を連結する天板部と、前記天板部から下方に延びる搭載ポストとを有しており、
前記搭載ポストは、前記コネクタを前記固定対象物に固定する際に、前記固定対象物に挿入固定される
コネクタを提供する。
【発明の効果】
【００１２】
本発明によれば、回路基板のような固定対象物に被押付部がネジ止めされ押しつけられることにより固定部が固定対象物側に変位させられることを利用して、第２係合部を第１係合部に係合させ、それにより第１係合部を固定対象物側に押圧することとした。従って、コネクタに対して固定対象物から離れる方向へ向かう力が加えられた場合であってもシェルの変形を抑えることができる。
【図面の簡単な説明】
【００１３】
【図１】本発明の実施の形態によるコネクタを示す斜視図である。
【図２】図１のコネクタを示す上面図である。
【図３】図１のコネクタを示す正面図である。
【図４】図１のコネクタを示す側面図である。
【図５】図１のコネクタの固定部とその周辺を示す拡大斜視図である。
【図６】図３のコネクタをVI--VI線に沿って示す断面図である。
【図７】特許文献１のコネクタを示す側面図である。
【発明を実施するための形態】
【００１４】
図１を参照すると、本発明の実施の形態によるコネクタ１０は、前後方向（嵌合抜去方向：Ｘ方向）において前端１２側から相手側コネクタ（図示せず）を受容する受容部１４を有している。図２乃至図４に示されるように、コネクタ１０は、導電体からなる複数のコンタクト２０と、コンタクト２０を保持する絶縁体からなる保持部材３０と、保持部材３０に取り付けられた金属製のシェル４０とを備えている。
【００１５】
図２及び図３から理解されるように、コンタクト２０は、回路基板（固定対象物：図示せず）上の導体パターンに半田付け固定されるＳＭＴ（Surface Mount Technology）端子２２と、相手側コネクタ（図示せず）の相手側コンタクトと接触する接点部２４とを有している。コンタクト２０は、ＳＭＴ端子２２に代えて、回路基板（図示せず）に挿入され半田付け固定されるＴＨＭ（Through Hole Mount）端子を有していてもよい。
【００１６】
図３に最も良く示されるように、保持部材３０は、後側（−Ｘ側）に位置し、ピッチ方向（Ｙ方向）に長手を有する後部ブロック３２と、後部ブロック３２から前方（＋Ｘ方向）に突出した板状の嵌合部３４と、後部ブロック３２から下方（−Ｚ方向）に突出した位置決めボス３６とを有している。図２及び図３から理解されるように、コンタクト２０は保持部材３０に保持され、それによってピッチ方向（Ｙ方向）に並べられている。また、接点部２４は、嵌合部３４から下方（−Ｚ方向）に突出している。図２乃至図４から理解されるように、嵌合部３４は、受容部１４内に位置している。ここで、位置決めボス３６は、回路基板（図示せず）に形成された位置決め孔（図示せず）に挿入され、回路基板（図示せず）上におけるコネクタ１０の搭載位置を位置決めするための部位である。
【００１７】
本実施の形態によるシェル４０は、一枚の金属板を打ち抜いて得られる中間部材を折り曲げて形成されたものである。図１乃至図４に示されるように、シェル４０は、保持部材３０を部分的に覆うシェル本体部５０と、シェル本体部５０をピッチ方向（Ｙ方向）の両端において回路基板（図示せず）に固定するための２つの固定部８０とを有している。
【００１８】
図３に最もよく示されるように、シェル本体部５０は、前方（＋Ｘ側）から見た場合に、ピッチ方向（Ｙ方向）に長手を有する角筒状の形状を有している。このシェル本体部５０は、ピッチ方向（Ｙ方向）の両端に位置する側壁５２と、ピッチ方向（Ｙ方向）において側壁５２の上端（＋Ｚ側端部）を連結する天板部５４と、側壁５２の下端（−Ｚ側端部）からピッチ方向（Ｙ方向）内側に向かって延びると共にピッチ方向（Ｙ方向）の中央付近において互いにかしめられ接続された２つの部位からなる底板部５６とを有している。天板部５４は、嵌合部３４の延びる面内、即ち、前後方向（Ｘ方向）を含む水平面（ＸＹ平面）と平行な面内にある。一方、側壁５２は、天板部５４の存する水平面（ＸＹ平面）と直交する垂直面（ＸＺ平面）内にある。
【００１９】
図２乃至図４から理解されるように、シェル本体部５０には、天板部５４の後端（−Ｘ側端部）から下方（−Ｚ方向）に延びる搭載ポスト５８と、側板５２の下端（−Ｚ側端部）から下方に延びる搭載ポスト６０との２種類の搭載ポストが設けられている。図３及び図４から理解されるように、搭載ポスト５８と搭載ポスト６０とは互いに直交する面内に設けられている。搭載ポスト５８は前後方向（Ｘ方向）と直交する垂直面（ＹＺ平面）内に存しており、搭載ポスト６０は搭載ポスト５８の存する垂直面（ＹＺ平面）と直交する垂直面（ＸＺ平面）内に存している。互いに直交する面内に延びる２種類の搭載ポスト５８，６０を有していることから、本実施の形態によるシェル本体部５０は、回路基板（図示せず）に搭載固定された際に、搭載ポスト５８，６０の存する垂直面（ＹＺ平面、ＸＺ平面）の双方と直交する水平面（ＸＹ平面）内における移動を規制される。
【００２０】
図４乃至図６から理解されるように、側壁５２には、ロック孔（孔部）６２と、係合片（第１係合部）６４と、ガイドフレア６８とが設けられている。
【００２１】
本実施の形態によるロック孔６２は、相手側コネクタ（図示せず）のピッチ方向（Ｙ方向）端部に設けられたロック爪（図示せず）を受容して相手側コネクタ（図示せず）とコネクタ１０との嵌合状態をロックするためのものである。ロック孔６２は、ピッチ方向（Ｙ方向）において側壁５２を貫通しており、前後方向（Ｘ方向）に長手を有するような形状を有している。
【００２２】
本実施の形態による係合片６４は、側壁５２の一部を切り起こして形成されたものであり、係合片６４の上下の２つのエッジ（縁）は垂直方向（Ｚ方向）と交差している。詳しくは、係合片６４は、ロック孔６２の前端からピッチ方向の外側に張り出すと共に斜め後方に延びている。係合片６４の後端６６は、係合片６４の前端（ロック孔６２の前端）よりもピッチ方向（Ｙ方向）の外側且つ後側（−Ｘ側）に位置している。
【００２３】
本実施の形態によるガイドフレア６８は、相手側コネクタ（図示せず）をガイドするための部位であり、側壁５２の前端（＋Ｘ側端部）に設けられ、ピッチ方向（Ｙ方向）の外側に向かって開いている。図４に最も良く示されるように、ガイドフレア６８は垂直方向（Ｚ方向）と斜交しており、ガイドフレア６８の上端７０は下端７２より前方（＋Ｘ側）に位置している。
【００２４】
図５に最も良く示されるように、固定部８０は、ピッチ方向（Ｙ方向）において側壁５２と対向する対向部８２と、対向部８２の下端（−Ｚ側端部）からピッチ方向（Ｙ方向）の外側に向かって延びるフランジ（被押付部）８４とを有している。
【００２５】
図６に最もよく示されるように、固定部８０の対向部８２とシェル本体部５０の側壁５２とは、後端（−Ｘ側端部）において連結されている。換言すると、固定部８０の対向部８２は、シェル本体部５０の側壁５２の後端（−Ｘ側端部）から折り返されて、前方（＋Ｘ方向）に向かって延びている。
【００２６】
図４乃至図６に示されるように、対向部８２には、対向部８２をピッチ方向（Ｙ方向）において貫通する開口部（第２係合部）９２が形成されている。この開口部９２は、側壁５２と平行な垂直面（ＸＺ平面）内においてロック孔６２と部分的に重複している。即ち、開口部９２は、ピッチ方向（Ｙ方向）においてロック孔６２と部分的に連通している。そのため、図４に示されるように、コネクタ１０をピッチ方向（Ｙ方向）に沿って見ると、開口部９２及びロック孔６２を通して受容部１４内にある保持部材３０の嵌合部３４を視認することができる。
【００２７】
図６に最もよく示されるように、係合片６４は、開口部９２内まで延びている。特に、本実施の形態においては、係合片６４は、ピッチ方向（Ｙ方向）において後端６６が部分的に対向部８２から外側に突出するほど、開口部９２内にしっかりと挿入されている。
【００２８】
図４に最もよく示されるように、対向部８２の前縁９４は、垂直方向（Ｚ方向）と斜交している。即ち、対向部８２の前縁９４は、下端側から斜め上前方に延びており、上方（＋Ｚ方向）に向かうに連れて前方（＋Ｘ方向）に張り出した形状を有している。
【００２９】
図１，図２，図５及び図６に示されるように、フランジ８４には、ネジ孔９６が設けられている。このフランジ８４は、コネクタ１０を回路基板（図示せず）に搭載固定する際に、回路基板（図示せず）にネジ止めされ押し付けられる。図４から理解されるように、フランジ８４が回路基板（図示せず）に押し付けられると、対向部８２も回路基板（図示せず）側に引き下げられ、それによって、開口部９２の上縁９３が係合片６４の上端６５と係合し、対向部８２が係合片６４を回路基板（図示せず）側に押圧する（押し下げる；図４の２つの一点鎖線の矢印参照）。これにより、側壁５２を含むシェル本体部５０が回路基板（図示せず）側に押し下げられた状態が維持されるので、シェル本体部５０の垂直方向（Ｚ方向）における移動（特に上方（＋Ｚ方向）への移動）を規制することができる。なお、図４では開口部９２の上縁９３と係合片６４の上端６５との間に隙間があるが、フランジ８４を回路基板（図示せず）にネジ止めする前に開口部９２の上縁９３と係合片６４の上端６５とが接するように構成しても良い。
【００３０】
相手側コネクタ（図示せず）が例えばケーブル（図示せず）の接続されたケーブルコネクタであった場合にはケーブル（図示せず）を煽ることにより相手側コネクタ（図示せず）を介してコネクタ１０に対して回路基板（図示せず）から離れる方向に向かう力が加わることがある。かかる場合に、係合片６４の開口部９２への係合によりシェル本体部５０が回路基板（図示せず）側に押し下げられていることから、上述した力が加わった場合であっても、シェル４０が変形してしまうことを抑制することができる。
【００３１】
加えて、本実施の形態によれば、フランジ８４も対向部８２の前縁９４も、上方に向かうに連れて前方に張り出すような形状となっていることから、上述した力がシェル本体部５０に対して加わりシェル本体部５０が上方（＋Ｚ方向）に押し上げられそうになったとしても、回路基板（図示せず）にしっかりと固定されている固定部８０の対向部８２の前縁９４に対してフランジ８４が下側から当たることとなるため、シェル本体部５０の変形を更に防止することができる。
【００３２】
以上、本発明について、実施の形態を掲げて具体的に説明してきたが、本発明はこれに限定されるわけではなく、種々の変形が可能である。
【００３３】
上述した実施の形態において、第１係合部は係合片６４であり、第２係合部は開口部９２であったが、本発明はこれに限定されるものではなく、例えば、第１係合部を開口部とし、第２係合部を係合片とすることとしてもよい。
【００３４】
また、上述した実施の形態において、係合片６４は、前側から斜め後方に向かって延びていたが、本発明はこれに限定されるものではなく、例えば、係合片６４は、後側から斜め前方に向かって延びていてもよい。
【００３５】
また、上述した実施の形態において、係合片（第１係合部）６４と開口部（第２係合部）９２は、シェル４０の側部に設けられていたが、設けられるのであれば他の部位であっても構わない。例えば、ガイドフレア６８を受容部１４側に曲げてガイドフレア６８に係合部を設けても良い。即ち、相手側コネクタ（図示せず）との嵌合側であるシェル４０の前部に設けても良い。
【００３６】
また、上述した実施の形態において、側壁５２のガイドフレア６８と対向部８２の前縁９４との双方を垂直方向（Ｚ方向）と斜交する構造としていたが、当該構造に起因した効果を要しない場合には、いずれも垂直方向（Ｚ方向）と斜交させなくてもよい。
【符号の説明】
【００３７】
１０        コネクタ
１２        前端
１４        受容部
２０        コンタクト
２２        ＳＭＴ端子
２４        接点部
３０        保持部材
３２        後部ブロック
３４        嵌合部
３６        位置決めボス
４０        シェル
５０        シェル本体部
５２        側壁
５４        天板部
５６        底板部
５８        搭載ポスト
６０        搭載ポスト
６２        ロック孔（孔部）
６４        係合片（第１係合部）
６５        上端
６６        後端
６８        ガイドフレア
７０        上端
７２        下端
８０        固定部
８２        対向部
８４        フランジ（被押付部）
９２        開口部（第２係合部）
９３        上縁
９４        前縁
９６        ネジ孔
【図１】
2014002979.tif 000003
【図２】
2014002979.tif 000004
【図３】
2014002979.tif 000005
【図４】
2014002979.tif 000006
【図５】
2014002979.tif 000007
【図６】
2014002979.tif 000008
【図７】
2014002979.tif 000009